(57)【要約】【課題】  洗浄が容易で、取り扱いにも便利で、構造が簡易で、ノズル部の吸引力を調整することができて効果的に鼻水を吸引することなどが可能な鼻汁吸引器を提供する。【解決手段】  一端から鼻汁を吸引するノズル４と、内部に空間を有する本体２と、本体２の一端に着脱可能に装着され、ノズル４を固定するキャップ３と、キャップ３に着脱可能に装着され、多数の吸引孔を備えた多孔筒５と、瓶状に形成され、本体２の内部空間において多孔筒５に着脱可能に装着される鼻汁溜６と、本体２に着脱可能に装着され、家庭用掃除機等に接続するための接続部７と、吸引力調整部８とを備える鼻汁吸引器１。吸引源からの吸引力が、本体２の内部空間、多孔筒５、鼻汁溜６、ノズル４へと伝達され、ノズル４の先端部から鼻汁を吸引する。本体２の開口部２ｅと、吸引力調整部８の開口部８ａとを重合させてノズル４の吸引力を調整する。【選択図】  図１
2006340894.tif 000002
【特許請求の範囲】
【請求項１】
中空棒状に形成され、一端から鼻汁を吸引するノズルと、
該ノズルの中間部を固定するとともに、内部に空間を有する本体と、
瓶状に形成され、該本体の内部空間に開口部を介して着脱可能に装着されるとともに、前記ノズルの他端が収容され、前記開口部の近傍に吸引孔を有する鼻汁溜と、
前記本体の内部空間と吸引源とを連通させる接続部とを備えることを特徴とする鼻汁吸引器。
【請求項２】
前記本体に穿設された開口部と、前記本体に装着され、前記本体の開口部と重合することにより、前記本体の内部空間を大気に解放させる開口部を備え、該開口部と前記本体の開口部との重合量を調整することにより、前記ノズルの一端における吸引力を調整する吸引力調整部とを備えることを特徴とする請求項１に記載の鼻汁吸引器。
【請求項３】
前記鼻汁溜は、前記開口部の近傍に吸引孔を有する部分と、他の部分とに２分割可能であることを特徴する請求項１又は２に記載の鼻汁吸引器。
【請求項４】
前記接続部は、前記本体に着脱可能で、蛇腹状に形成されることを特徴とする請求項１、２又は３に記載の鼻汁吸引器。
【請求項５】
前記ノズルは、前記本体に着脱可能に設けられるキャップを介して前記本体に固定されることを特徴する請求項１乃至４のいずれかに記載の鼻汁吸引器。
【請求項６】
前記吸引源は、家庭用掃除機であることを特徴とする請求項１乃至５のいずれかに記載の鼻汁吸引器。
【発明の詳細な説明】
【技術分野】
【０００１】
本発明は、鼻汁吸引器に関し、特に、家庭用の掃除機等を利用して花粉症患者等の鼻から鼻汁を吸引する鼻汁吸引器に関する。
【背景技術】
【０００２】
従来、家庭用掃除機に接続することによって充分な吸引力を得て、よく鼻水を吸い取ることができ、洗浄も容易な器具として、特許文献１には、ビニールチューブに接続管、チューブ、吸引口の順で接続し、ビニールチューブの反対側に差し込み口を装着し、差し込み口を掃除機に接続してガラス管を鼻にあてて使用する鼻汁吸引具が提案されている。
【０００３】
また、特許文献２には、鼻汁を簡単に吸引することができるように、家庭用電気掃除機接続部に家庭用電気掃除機の吸入ノズル先端を接続して、家庭用掃除機を作動させることにより、容器内の空気が家庭用電気掃除機に吸入され負圧となり、チューブホースを通じて鼻汁吸引部で鼻汁を吸引する鼻汁吸引器が提案されている。
【０００４】
さらに、特許文献３には、鼻腔内に分泌した鼻汁を、簡略な操作で安全かつ円滑に吸引除去することのできる鼻汁吸引除去装置として、先端に鼻腔内に挿入して鼻汁を吸引するための吸引管と、それに連なる他端に家庭用掃除機の継ぎ手パイプに連結するための連結パイプと、その中間の任意の位置に配されて吸引された鼻汁を貯留するための鼻汁貯留容器とからなり、各々円筒状チューブにより連結され、一体として形成された装置が提案されている。
【０００５】
また、特許文献４には、吸引力の調整を掃除機によって行い、慢性アレルギー性鼻炎の予防等にも有効な補助器具を提供するにあたって、掃除機をコンプレッサーの代わりに利用して、本体を掃除機に固定し、ホースにより鼻水を吸い上げ、タンクに鼻水を誘導して溜めるとともに、一度吸った鼻水が掃除機内に逆流すると掃除機内が不潔になりカビの発生を招きかねないため、３つの弁を設けて逆流を防止した鼻水吸引器が提案されている。
【０００６】
【特許文献１】特開平１０−５７４７４号公報
【特許文献２】特開平１０−９９４２７号公報
【特許文献３】実用新案登録第３０９５８６３号公報
【特許文献４】特開２００１−８７３７６号公報
【発明の開示】
【発明が解決しようとする課題】
【０００７】
しかし、上記特許文献１に記載の従来の鼻汁吸引具においては、鼻水を溜める容器等が存在しないため、鼻汁吸引具に付着した鼻水以外の鼻水はそのまま掃除機の方に流れてしまうという問題があった。また、この鼻汁吸引具には、掃除機の吸引力がそのまま加えられ、吸引力を調整することもできないため、吸引力が不足する場合には、効果的に鼻水を吸引することができず、逆に吸引力が大きすぎる場合には、患者等に不快感を与えるという問題があった。
【０００８】
また、特許文献２に記載の鼻汁吸引器についても、構成は簡単であるが、チューブホースを適切な位置に固定することができないとともに、特許文献１に記載の鼻汁吸引具と同様に、掃除機の吸引力を調整することができず、効果的に鼻水を吸引することができないなどの問題があった。
【０００９】
さらに、特許文献３に記載の鼻汁吸引除去装置についても、吸引した鼻汁を捨てたり、装置を洗浄する場合には、チューブ、鼻汁貯留容器、上蓋等を分離しなければならず、さらに使用の際にはこれらを接続したり、組み立てる必要があり、取り扱いに不便であるという問題があった。また、上記特許文献と同様に、掃除機の吸引力を調整することができず、効果的に鼻水を吸引することができないなどの問題があった。
【００１０】
また、特許文献４に記載の鼻水吸引器等は、構造が複雑であるともに、形状的にも取り扱いに便利であるとはいえず、さらに、上記特許文献と同様に、掃除機の吸引力を調整することができず、効果的に鼻水を吸引することができないなどの問題があった。
【００１１】
そこで、本発明は、上記従来の鼻汁吸引器等における問題点に鑑みてなされたものであって、簡単に洗浄することができ、鼻汁を吸引する際の取り扱いに便利で、構造も簡単で、ノズル部の吸引力を調整することができて、効果的に鼻水を吸引することができ、患者等に不快感を与えることもない鼻汁吸引器を提供することを目的とする。
【課題を解決するための手段】
【００１２】
上記目的を達成するため、本発明は、鼻汁吸引器であって、中空棒状に形成され、一端から鼻汁を吸引するノズルと、該ノズルの中間部を固定するとともに、内部に空間を有する本体と、瓶状に形成され、該本体の内部空間に開口部を介して着脱可能に装着されるとともに、前記ノズルの他端が収容され、前記開口部の近傍に吸引孔を有する鼻汁溜と、前記本体の内部空間と吸引源とを連通させる接続部とを備えることを特徴とする。
【００１３】
そして、本発明によれば、吸引源からの吸引力が、本体の内部空間、鼻汁溜、ノズルへと伝達され、ノズルの先端部から鼻汁を吸引することができるため、簡易な構成により、簡単な操作で鼻汁を吸引することができる。また、瓶状の鼻汁溜を本体から取り外すことにより、鼻汁を捨てたり、鼻汁溜を洗浄することが容易であり、組み立ても簡単に行うことができる。
【００１４】
前記鼻汁吸引器において、前記本体に穿設された開口部と、前記本体に装着され、前記本体の開口部と重合することにより、前記本体の内部空間を大気に解放させる開口部を備え、該開口部と前記本体の開口部との重合量を調整することにより、前記ノズルの一端における吸引力を調整する吸引力調整部とを備えることができる。これによって、ノズル先端の吸引力を容易に調整することができる。すなわち、吸引力が不足する場合には、開口部を小さくし、効果的に鼻水を吸引することができ、逆に吸引力が大きすぎる場合には、開口部を大きくして吸引力を低下させ、患者等に不快感を与えることもない。
【００１５】
前記鼻汁吸引器において、前記鼻汁溜を、前記開口部の近傍に吸引孔を有する部分と、他の部分とに２分割可能とすることができる。これによって、各々分割された部品の製造が容易となり、鼻汁吸引器の製造コストを低下させることができるとともに、鼻汁溜の洗浄もより容易に行うことができる。
【００１６】
前記鼻汁吸引器において、前記接続部を、前記本体に着脱可能で、蛇腹状に形成することができる。これによって、鼻汁吸引器の移動をより円滑に行うことができ、作業性が向上する。
【００１７】
前記鼻汁吸引器において、前記ノズルを、前記本体に着脱可能に設けられるキャップを介して前記本体に固定することができる。これによって、簡易な構成となった本体及びキャップを別々に製造することができるため、鼻汁吸引器の製造コストを低下させることができるとともに、ノズルの取付もより容易に行うことができる。
【００１８】
前記鼻汁吸引器において、前記吸引源を、家庭用掃除機とすることができる。家庭用掃除機を用いることで、各家庭で手軽に鼻汁の吸引を行うことができる。
【発明の効果】
【００１９】
以上のように、本発明によれば、洗浄を容易に行うことができ、鼻汁を吸引する際の取り扱いにも便利で、構造が簡易で、ノズル部の吸引力を調整することができて、効果的に鼻水を吸引することができ、患者等に不快感を与えることもない鼻汁吸引器を提供することなどが可能となる。
【発明を実施するための最良の形態】
【００２０】
図１は、本発明にかかる鼻汁吸引器の一実施の形態を示し、この鼻汁吸引器１は、円筒状の本体２と、本体２の一端に着脱可能に装着されるキャップ３と、キャップ３に固定され、Ｌ字状の中空棒状に形成されたノズル４と、キャップ３に着脱可能に装着され、多数の吸引孔を備えた多孔筒５と、瓶状に形成され、本体２の内部空間において多孔筒５に着脱可能に装着される鼻汁溜６と、本体２に着脱可能に装着され、家庭用掃除機に接続するための接続部７と、本体２の他端に着脱可能に装着される吸引力調整部８とを備える。
【００２１】
本体２は、図２に示すように、円筒状の胴体２ａの両端部が開口され、これら両端部に雄ねじ部２ｂ、２ｃが形成されている。また、本体２の下部には、吸引力調整部８を着脱可能に装着するための２条の溝部２ｄと、開口部２ｅが形成される。
【００２２】
キャップ３は、図３に示すように、基部３ａの下方が開口し、この開口部の内側に雌ねじ部３ｄが形成される。上部のノズル取付部３ｂには、ノズル４が挿通、固定される。ノズル取付部３ｂの内側には、多孔筒５を取り付けるための雄ねじ部３ｃが形成される。
【００２３】
ノズル４は、図４に示すように、Ｌ字状の中空棒状に形成され、長尺の直線状部４ａがキャップ３に支持、固定される。短尺の直線状部４ｃは、曲線状部４ｂを介して直線状部４ａに接続され、直線状部４ｃの先端部には、鼻汁の吸引口４ｄが形成される。
【００２４】
多孔筒５は、図５に示すように、全体が円筒状に形成され、胴部５ａの上下開口部には雌ねじ部５ｃ、５ｄが形成される。胴部５ａの中間部には、多数の吸引孔５ｂが穿設される。
【００２５】
鼻汁溜６は、図６に示すように、瓶状に形成された胴部６ａの開口部に雄ねじ部６ｂが形成される。
【００２６】
接続部７は、図７に示すように、雌ねじ部７ｅを介して本体２へ接続部７を取り付けるための取付部７ａと、家庭用掃除機と接続するため、中空の円錐台状に形成された取付部７ｃと、取付部７ａ、７ｃとの間に存在する蛇腹部７ｂと、取付部７ｃに着脱可能で内径が取付部７ｃの外径と略々等しい中空円錐台状の調整部材取付部７ｄとで構成される。
【００２７】
吸引力調整部８は、図８に示すように、図２に示した本体２の外径と略々同じ内径を有するリング状に形成され、本体２の開口部２ｅと略々同寸法の開口部８ａが穿設されている。吸引力調整部８の内壁には、２条の突条８ｂが形成され、本体２の溝部２ｄと係合することで、吸引力調整部８全体が本体２の軸線回りに回動可能となっている。
【００２８】
次に、上記構成を有する鼻汁吸引器１の組立要領について図面を参照しながら説明する。
【００２９】
まず、本体２に吸引力調整部８を取り付ける。吸引力調整部８の突条８ｂを本体２の溝部２ｄと係合させることにより、吸引力調整部８を本体２に回動可能に装着することができる。次に、キャップ３に多孔筒５を取り付ける。キャップ３の雄ねじ部３ｃに多孔筒５の雌ねじ部５ｃを螺合させることによって、キャップ３に多孔筒５を装着することができる。次に、多孔筒５に鼻汁溜６を取り付ける。多孔筒５の雌ねじ部５ｄに鼻汁溜６の雄ねじ部６ｂを螺合させることによって、多孔筒５に鼻汁溜６を装着することができる。
【００３０】
多孔筒５及び鼻汁溜６が装着されたキャップ３のノズル取付部３ｂにノズル４を挿通させ、ノズル４の直線状部４ａがノズル取付部３ｂに支持、固定されるようにする。そして、キャップ３の雌ねじ部３ｄを本体２の雄ねじ部２ｂに螺合させ、キャップ３を本体２に装着する。最後に、接続部７を本体２に取り付ける。本体２の雄ねじ部２ｃに接続部７の雌ねじ部７ｅを螺合させることによって、本体２に接続部７を装着することができる。以上で鼻汁吸引器１の組立が完了する。
【００３１】
次に、上記鼻汁吸引器１の使用方法について、図１を中心に参照しながら説明する。
【００３２】
図１に示した接続部７の取付部７ｃ（図７参照）に家庭用の掃除機の吸引口を接続する。尚、家庭用の掃除機の吸引口の内径が取付部７ｃよりも大きいため適切に掃除機の吸引口を接続することができない場合には、取付部７ｃに調整部材取付部７ｄを装着し、取付部の外径を大きくすることにより対応することができる。
【００３３】
本体２の胴部２ａ（図２参照）を手に持って、掃除機を運転し、ノズル４の先端部を患者等の鼻の中に挿入する。これによって、鼻汁吸引器１の内部の空気は、矢印で示す方向に流れ、これに伴って吸引された鼻汁は、本体２の底部に溜まる。
【００３４】
ノズル４の吸引口４ｄにおける吸引力が弱い場合、又は強すぎる場合には、本体２の開口部２ｄと吸引力調整部８の開口部との重合量を調節する。吸引力が弱い場合には、重合量を少なくしてより吸引口４ｄ側から空気を吸引するように調整し、吸引力が強すぎる場合には、重合量を多くして吸引口４ｄ側からの空気の吸引量を少なくする。
【００３５】
鼻汁の吸引が終了すると、本体２からキャップ３を取り外し、キャップ３から多孔筒５及び鼻汁溜６を取り外し、鼻汁溜６の中の鼻汁を捨て、鼻汁溜６等を洗浄する。これによって、鼻汁吸引器１の使用後の各部品を清潔に保つことができる。
【００３６】
尚、上記実施の形態においては、本体２とキャップ３とを別部品として構成したが、両部品を一体化して一つの部品とすることもできる。また、キャップ３と鼻汁溜６についても別部品として構成したが、両部品を一体化して一つの部品とすることもできる。また、接続部７を介して吸引源と接続するように構成したが、必ずしも接続部７を設ける必要はなく、家庭用掃除機を直接本体２に接続するようにしてもよい。さらに、吸引源として家庭用掃除機を利用するのではなく、鼻汁吸引器１を専用の吸引装置と組み合わせてもよいことはもちろんである。
【図面の簡単な説明】
【００３７】
【図１】本発明にかかる鼻汁吸引器の一実施の形態を示す組立図である。
【図２】図１の鼻汁吸引器の本体を示す正面図である。
【図３】図１の鼻汁吸引器のキャップを示す断面図である。
【図４】図１の鼻汁吸引器のノズルを示す一部断面図である。
【図５】図１の鼻汁吸引器の多孔筒を示す断面図である。
【図６】図１の鼻汁吸引器の鼻汁溜を示す正面図である。
【図７】図１の鼻汁吸引器の接続部を示す概略図である。
【図８】図１の鼻汁吸引器の吸引力調整部を示す一部断面図である。
【符号の説明】
【００３８】
１  鼻汁吸引器
２  本体
２ａ  胴体
２ｂ  雄ねじ部
２ｃ  雄ねじ部
２ｄ  溝部
２ｅ  開口部
３  キャップ
３ａ  基部
３ｂ  ノズル取付部
３ｃ  雄ねじ部
３ｄ  雌ねじ部
４  ノズル
４ａ  直線状部
４ｂ  曲線状部
４ｃ  直線状部
４ｄ  吸引口
５  多孔筒
５ａ  胴部
５ｂ  吸引孔
５ｃ  雌ねじ部
５ｄ  雌ねじ部
６  鼻汁溜
６ａ  胴部
６ｂ  雄ねじ部
７  接続部
７ａ  取付部
７ｂ  蛇腹部
７ｃ  取付部
７ｄ  調整部材取付部
７ｅ  雌ねじ部
８  吸引力調整部
８ａ  開口部
８ｂ  突条
【図１】
2006340894.tif 000003
【図２】
2006340894.tif 000004
【図３】
2006340894.tif 000005
【図４】
2006340894.tif 000006
【図５】
2006340894.tif 000007
【図６】
2006340894.tif 000008
【図７】
2006340894.tif 000009
【図８】
2006340894.tif 000010